(57)【要約】【課題】高価な部品を使用することなく、飲料抽出パックを抽出可能な状態にセットする。【解決手段】内容器１３内に貯留した液体を加熱する加熱手段（ヒータ１４，１５）と、その液体を圧送する給水手段（液体圧送ポンプ１６）と、飲料抽出パック１Ａ，１Ｂを着脱可能に装着するパック装着機構２４とを備えた飲料抽出機において、パック装着機構２４は、開閉可能な蓋体３１を装着するとともに、上面に給水手段に接続した注入用針２１を固定したカバー２５と、カバー２５に回動可能かつ上下方向に移動可能に装着するとともに、蓋体３１に連動部材３４を介して連動可能に装着したガイド部材３７と、飲料抽出パック１Ａ，１Ｂの上端を位置決め保持してガイド部材３７に装着する保持部材とを備え、蓋体３１を閉じることにより、飲料抽出パック１Ａ，１Ｂの上端を注入用針２１が貫通するように構成する。【選択図】  図１
2004166769.tif 000002
【特許請求の範囲】
【請求項１】
外装体内に設けた内容器と、該内容器内に貯留した液体を加熱する加熱手段と、前記内容器内の液体を所定圧力で圧送する給水手段と、前記外装体の正面側に設けられ密閉された飲料抽出パックを着脱可能に装着することによりその飲料抽出パックに前記給水手段からの液体が注入されるパック装着機構とを備えた飲料抽出機において、
前記パック装着機構は、
一側面の開口に開閉可能な蓋体を装着するとともに、上面に前記給水手段に接続した注入用針を貫通させて固定したカバーと、
前記カバーに回動可能かつ上下方向に移動可能に装着するとともに、前記蓋体に連動部材を介して連動可能に装着したガイド部材と、
前記飲料抽出パックの上端を位置決め保持して前記ガイド部材に装着する保持部材とを備え、
前記蓋体を開いた状態で前記保持部材に飲料抽出パックを装着し、前記蓋体を閉じることにより、前記ガイド部材がカバー内に移動した後、上方に移動して、前記飲料抽出パックの上端を注入用針が貫通するようにしたことを特徴とする飲料抽出機。
【請求項２】
前記保持部材を前記ガイド部材に対して上下方向に移動可能に装着し、
前記ガイド部材の底に、前記飲料抽出パックの底を貫通させる抽出用針を貫通させて固定するとともに、前記保持部材を上向きに付勢する付勢部材を設け、
前記蓋体を閉じることにより、前記抽出用針が前記飲料抽出パックの底を貫通するようにしたことを特徴とする請求項１に記載の飲料抽出機。
【請求項３】
外装体内に設けた内容器と、該内容器内に貯留した液体を加熱する加熱手段と、前記内容器内の液体を所定圧力で圧送する給水手段と、前記外装体の正面側に設けられ密閉された飲料抽出パックを着脱可能に装着することによりその飲料抽出パックに前記給水手段からの液体が注入されるパック装着機構とを備えた飲料抽出機において、
前記パック装着機構は、
上面の開口に開閉可能な蓋体を装着するとともに、その蓋体に前記給水手段に接続した注入用針を貫通させて固定したカバーと、
前記飲料抽出パックの上端を位置決め保持して前記カバー内に装着する保持部材とを備え、
前記蓋体を開いた状態で前記保持部材を介して飲料抽出パックをカバー内に装着し、前記蓋体を閉じることにより、前記飲料抽出パックの上端を注入用針が貫通するようにしたことを特徴とする飲料抽出機。
【請求項４】
前記保持部材を前記カバーに対して上下方向に移動可能に装着し、
前記カバーの底に、前記飲料抽出パックの底を貫通させる抽出用針を貫通させて固定するとともに、前記保持部材を上向きに付勢する付勢部材を設け、
前記蓋体を閉じることにより、前記抽出用針が前記飲料抽出パックの底を貫通するようにしたことを特徴とする請求項３に記載の飲料抽出機。
【発明の詳細な説明】
【０００１】
【発明の属する技術分野】
本発明は、コーヒー粉末などを容器やシートに包装した飲料抽出パックを使用して飲料を注出する飲料抽出機に関するものである。
【０００２】
【従来の技術】
近年、２０〜３０名程度の小オフィス用または一般家庭用に適した小型で、すぐに美味しく飲め、後片付けが簡単な使い勝手のよい飲料抽出機が提供されている。この飲料抽出機は、従来のドリップ方式とは異なり、コーヒーなどの粉末を容器やシートによって包装した飲料抽出パックを用い、所定の圧力を加えながら所定温度のお湯を圧送することにより、短時間で抽出できるようにしたものである。
【０００３】
ここで、図１４（Ａ）に示すように、容器２を用いた飲料抽出パック１Ａは、上端開口の円筒状の容器２を用い、この容器２の内部にフィルタ３を配設するとともに、このフィルタ３内にコーヒーなどの粉末を収容させた状態で、前記容器２の開口を蓋シート４によって密閉したものである。
【０００４】
図１４（Ｂ）に示すように、シートを用いた飲料抽出パック１Ｂは、表裏一対の矩形状シート５を備え、これらの間にフィルタ６を配設するとともに、このフィルタ６内にコーヒーなどの粉末を収容させた状態で、４方をシールしたものである。この飲料抽出パック１Ｂの上端中央には注入用のノズル部７が設けられている。また、前記矩形状シート５は、下端を感圧シールまたは感熱シールすることにより、圧力または熱を受けると接着力が弱くなり液体や気体の圧力で剥離される構成としている。
【０００５】
これらの飲料抽出パック１Ａ，１Ｂのうち、図１４（Ｂ）に示す飲料抽出パック１Ｂを使用した飲料抽出機の先行技術文献情報としては次のものがある。
【０００６】
【特許文献１】
特開２００１−７０１６３号公報
【０００７】
この特許文献１の飲料抽出機は、液体を収納する容器と、この容器内の液体を加熱する加熱手段と、容器の上部を覆う蓋と、前記容器内の液体を送り出す送水装置と、この送水装置より送り出された液体により抽出される飲料抽出パック１Ｂを装着する固定部とを備えた構成としている。
【０００８】
前記固定部は、本体に対して開閉可能に取り付けた保持体からなり、開いた状態で前記飲料抽出パック１Ｂのノズル部７を位置決めし、閉じることにより、前記ノズル部７が容器に送水装置に接続された注入用針と対向する構成とされている。そして、抽出を開始するためにスタートボタンを押すと、前記注入用針が下降して飲料抽出パック１Ｂのノズル部７を突き破り、この注入用針からお湯が注入される構成としている。
【０００９】
【発明が解決しようとする課題】
しかしながら、前記特許文献１の飲料抽出機は、注入用針を電動式で上下方向に駆動させるため、その駆動機構が非常に高価であり、コスト高になるという問題がある。
【００１０】
なお、容器２を用いた飲料抽出パック１Ａを使用する飲料抽出機は、特許文献１と同様に、飲料抽出パック１Ａを配設する開閉可能な固定部を備え、この固定部に飲料抽出パック１Ａを配置して閉じることにより、上方から注入用針が電動式で駆動して蓋シート４を突き破るとともに、下方から抽出用針が電動式で駆動して樹脂製の容器２の底を突き破る構成としている。そのため、特許文献１と同様の問題を有する。
【００１１】
そこで、本発明では、高価な部品を使用することなく、飲料抽出パックを抽出可能な状態にセットできる飲料抽出機を提供することを課題とするものである。
【００１２】
【課題を解決するための手段】
前記課題を解決するため、本発明の第１の飲料抽出機は、外装体内に設けた内容器と、該内容器内に貯留した液体を加熱する加熱手段と、前記内容器内の液体を所定圧力で圧送する給水手段と、前記外装体の正面側に設けられ密閉された飲料抽出パックを着脱可能に装着することによりその飲料抽出パックに前記給水手段からの液体が注入されるパック装着機構とを備えた飲料抽出機において、前記パック装着機構は、一側面の開口に開閉可能な蓋体を装着するとともに、上面に前記給水手段に接続した注入用針を貫通させて固定したカバーと、前記カバーに回動可能かつ上下方向に移動可能に装着するとともに、前記蓋体に連動部材を介して連動可能に装着したガイド部材と、前記飲料抽出パックの上端を位置決め保持して前記ガイド部材に装着する保持部材とを備え、前記蓋体を開いた状態で前記保持部材に飲料抽出パックを装着し、前記蓋体を閉じることにより、前記ガイド部材がカバー内に移動した後、上方に移動して、前記飲料抽出パックの上端を注入用針が貫通するように構成している。
【００１３】
この第１の飲料抽出機では、前記保持部材を前記ガイド部材に対して上下方向に移動可能に装着し、前記ガイド部材の底に、前記飲料抽出パックの底を貫通させる抽出用針を貫通させて固定するとともに、前記保持部材を上向きに付勢する付勢部材を設け、前記蓋体を閉じることにより、前記抽出用針が前記飲料抽出パックの底を貫通するように構成することが好ましい。
【００１４】
また、本発明の第２の飲料抽出機は、外装体内に設けた内容器と、該内容器内に貯留した液体を加熱する加熱手段と、前記内容器内の液体を所定圧力で圧送する給水手段と、前記外装体の正面側に設けられ密閉された飲料抽出パックを着脱可能に装着することによりその飲料抽出パックに前記給水手段からの液体が注入されるパック装着機構とを備えた飲料抽出機において、前記パック装着機構は、上面の開口に開閉可能な蓋体を装着するとともに、その蓋体に前記給水手段に接続した注入用針を貫通させて固定したカバーと、前記飲料抽出パックの上端を位置決め保持して前記カバー内に装着する保持部材とを備え、前記蓋体を開いた状態で前記保持部材を介して飲料抽出パックをカバー内に装着し、前記蓋体を閉じることにより、前記飲料抽出パックの上端を注入用針が貫通するように構成している。
【００１５】
この第２の飲料抽出機では、前記保持部材を前記カバーに対して上下方向に移動可能に装着し、前記カバーの底に、前記飲料抽出パックの底を貫通させる抽出用針を貫通させて固定するとともに、前記保持部材を上向きに付勢する付勢部材を設け、前記蓋体を閉じることにより、前記抽出用針が前記飲料抽出パックの底を貫通するように構成することが好ましい。
【００１６】
これらのように構成した本発明の飲料抽出機では、飲料抽出パックを所定位置に配置し、蓋体を閉じるだけで、従来のように電動式の駆動機構を適用することなく、その閉じ動作により飲料抽出パックの上端または上端と底を突き破るようにして、注入用針または注入用針と抽出用針を貫通させることができる。そのため、製品自体を安価に提供することが可能になる。また、このパック装着機構は、飲料の抽出部分であるため非常に汚れ易い部分であるが、本発明では、電気部品を用いていないため、部分的に水洗いすることが可能であり、清掃性も向上できる。
【００１７】
【発明の実施の形態】
以下、本発明の実施の形態を図面に従って説明する。
図１は本発明の第１実施形態に係る飲料抽出機を示す。この飲料抽出機は、大略、内容器１３、加熱手段および給水手段を有する加熱容器本体１０の正面に、図１４（Ａ）に示す容器タイプの飲料抽出パック１Ａを着脱可能に装着するパック装着機構２４を設けたものである。
【００１８】
具体的には、前記加熱容器本体１０は、その外装体１１の上部に蓋１２を回動可能に取り付けたもので、その内部には、液体である水を貯留する内容器１３が配設されている。この内容器１３の底には、この内容器１３内に貯留した水を沸騰させる加熱手段として湯沸ヒータ１４と、所定温度で保温する保温ヒータ１５とが配設されている。
【００１９】
また、外装体１１と内容器１３との間には、該内容器１３内の水を後述するパック装着機構２４に所定圧力で圧送する給水手段として、液体圧送ポンプ１６と気体圧送ポンプ１７と三方弁１８とが設けられている。前記液体圧送ポンプ１６は、内容器１３内のお湯を所定圧力で送出するものである。前記気体圧送ポンプ１７は、液体圧送ポンプ１６の停止後に動作され、給水経路を構成する揚水管２０内に残留するお湯を空気圧によって全て排出するためのものである。前記三方弁１８は、液体圧送ポンプ１６または気体圧送ポンプ１７の動作に連動し、選択的にそれぞれの経路に接続状態を切り替えるためのものである。なお、図中１９は、内容器１３内の湯温を検出するための温度センサである。
【００２０】
さらに、前記外装体１１の正面には、その上部に前方に突出するノーズ部１１ａが設けられるとともに、下部にコップなどを載置するための台座部１１ｂが設けられている。前記ノーズ部１１ａの内部には、前記三方弁１８に接続した揚水管２０が配設され、この揚水管２０の端部に中空状の注入用針２１を配設し、該注入用針２１がノーズ部１１ａの下面から突出されている。また、このノーズ部１１ａの内部には、前記ヒータ１４，１５、ポンプ１６，１７および三方弁１８を制御する制御基板２２が配設されるとともに、前記ポンプ１６，１７を動作させるための抽出スイッチ２３が配設されている。
【００２１】
本実施形態のパック装着機構２４は、図２および図３に示すように、大略、前記外装体１１のノーズ部１１ａの下側に固定されるカバー２５と、該カバー２５の内部に装着されたガイド部材３７と、該ガイド部材３７に装着された保持部材４９とからなる。
【００２２】
前記カバー２５は、前側面および下面を開口したもので、その前面側開口の下端に軸受部２６を設け、この軸受部２６に開閉可能に蓋体３１を装着したものである。このカバー２５の背部には、前記外装体１１におけるノーズ部１１ａの下部に固定するためのブラケット部２７が設けられている。また、このカバー２５の上面には、前記注入用針２１が貫通させて固定されている。さらに、このカバー２５の上面には、前記注入用針２１を中心とし、後述する保持部材４９内に配置する飲料抽出パック１Ａの上端縁を圧接するための円環状リブ２８が下向きに突設されている。
【００２３】
また、このカバー２５の両側壁の内面には、後述するガイド部材３７を回動可能かつ上下方向に移動可能に軸着するための溝状軸受部２９が下端近傍から上方に延びるように設けられている。また、この溝状軸受部２９の上部には、ガイド部材の上下方向の姿勢を維持するようにガイドする一対のガイドリブ３０ａ，３０ｂが設けられている。前側に位置するガイドリブ３０ａは、溝状軸受部２９の上端から所定間隔をもった上方位置から上向きに延びるように形成されている。また、後側に位置するガイドリブ３０ｂは、溝状軸受部２９の上端から上向きに延びるように形成されている。
【００２４】
前記蓋体３１は、軸受部２６に軸着する軸部３２と、該ガイド部材３７の開閉動作にガイド部材３７を連動させて移動させる連動部材３４を軸着する軸受部３３とを設けたものである。
【００２５】
前記連動部材３４は、前記軸受部３３に軸着する軸孔３５ａを備えた軸部３５と、該軸部３５の両端から突出し、ガイド部材３７の上部両側に回動可能に連結する軸受孔３６ａを備えたアーム部３６とからなる略コ字形状のものである。
【００２６】
なお、前記軸受部３３の位置は、図４（Ｂ）に示すように、蓋体３１の回動によりアーム部３６の先端が前記ガイドリブ３０ｂに当接する位置に変位した状態で、軸部がアーム部３６の先端（軸着位置）より低くなるように構成している。言い換えれば、蓋体３１の回動によりアーム部３６の先端がガイドリブ３０ｂまで変位した状態で、該アーム部３６が先端に向けて上向きに傾斜するように構成されている。
【００２７】
前記ガイド部材３７は、前記カバー２５の溝状軸受部２９に回動可能かつ上下方向に移動可能に装着され、かつ、前記蓋体３１に前記連動部材３４を介して連動可能に装着されるものである。具体的には、このガイド部材３７は、下端に位置するベース部３８と、該ベース部３８の両側から上向きに突出した側壁部４５とからなる略凹字形状のものである。
【００２８】
前記ベース部３８は、その中央部に保持部材４９のスライド移動を抑止するための円筒状リブ３９を備えている。また、この円筒状リブ３９の中央には、保持部材４９の挿通軸５２を挿通させる挿通孔４０が設けられている。この挿通孔４０の周囲には、保持部材４９を上向きに付勢する付勢部材であるスプリング４１を位置決めする突部４２が円環状に突設されている。さらに、前記円筒状ガイドリブの内部には、その偏心位置に筒部４３が設けられ、この筒部４３内に中空状の抽出用針４４が貫通して固定されている。
【００２９】
前記側壁部４５は、前記ベース部３８の両側から略コ字形状に突設されている。これら側壁部４５の外側下部には、前記溝状軸受部２９に軸着するための軸部４６が突設されている。また、この側壁部４５の外側上部には、前記連動部材３４のアーム部３６を貫通させて軸着するとともに、前記ガイドリブ３０ａ，３０ｂ間に挿通する軸部４７が突設されている。さらに、この側壁部４５の内側には、図５（Ｂ）に示す蓋体３１を閉じた状態において、前記保持部材４９を上下方向に移動可能に装着し、その移動方向をガイドするためのガイド部４８が設けられている。このガイド部４８の下端は、前記円筒状リブ３９と連続されている。
【００３０】
前記保持部材４９は、内部に飲料抽出パック１Ａを着脱可能に収容し、その上端を位置決め保持して前記ガイド部材３７に装着する容器からなる。この保持部材４９の下端外周縁には、前記円筒状リブ３９に外嵌する円筒部５０が設けられている。また、保持部材４９の底には、前記抽出用針４４との対応位置に貫通孔５１が設けられている。さらに、保持部材４９の底には、ガイド部材３７の挿通孔４０に挿通される挿通軸５２が突設されている。この挿通軸５２は、挿通孔４０に挿通した状態でネジ止めすることにより抜け止めを図り、前記スプリング４１により付勢される該保持部材４９をガイド部材３７の所定位置で保持するものである。さらにまた、保持部材４９の外周部には、一対のガイド板５３が対向位置に設けられ、これらの間に前記ガイド部４８を挿通させる構成としている。
【００３１】
本実施形態では、断面逆Ｌ字形状をなす取り外し操作用のフランジ部材５４が設けられ、このフランジ部材５４を保持部材４９の上端縁に装着した状態で飲料抽出パック１Ａを配置する構成としている。これにより、ユーザは、お湯の注入により熱くなった飲料抽出パック１Ａを直接持つことなく、取り外すことができるように構成している。
【００３２】
次に、この飲料抽出機の使用方法について説明する。
まず、ユーザは、図３に示すように、パック装着機構２４の蓋体３１を開いた状態とする。これにより、ガイド部材３７とともに保持部材４９が連動部材３４を介して蓋体３１に連動し、軸部４６を中心として開口した前側に向けて傾斜することにより、前記保持部材４９の上端開口が露出する。
【００３３】
この状態で、フランジ部材５４の内部に飲料抽出パック１Ａを配置するとともに、これらを保持部材４９の内部に配置する。なお、フランジ部材５４を保持部材４９の上端縁に配置した状態で、飲料抽出パック１Ａを装着してもよい。
【００３４】
ついで、ユーザは、開いた状態の蓋体３１を背面側に押圧して閉じる。これにより、図４（Ａ）に示すように、連動部材３４を介してガイド部材３７が内向きに押圧され、このガイド部材３７の軸部４６を中心として飲料抽出パック１Ａを装着した保持部材４９が一緒にカバー２５内に回動しながら収容される。
【００３５】
この回動は、図４（Ｂ）に示すように、ガイド部材３７の軸部４７がカバー２５のガイドリブ３０ｂに当接することにより停止する。なお、この状態では、前述のように、連動部材３４のアーム部３６は、その先端（背面方向）に向けて傾斜した状態をなす。
【００３６】
そのため、蓋体３１を更に押圧することにより、図５（Ａ）に示すように、ガイド部材３７は、軸部４７がガイドリブ３０ａ，３０ｂ間に規制されながら、また、軸部４６が溝状軸受部２９に沿って、上向きに移動する。
【００３７】
そして、前記ガイド部材３７の上向きの移動により、飲料抽出パック１Ａの上端が注入用針２１に達すると、該注入用針２１が飲料抽出パック１Ａの蓋シート４を突き破る。なお、飲料抽出パック１Ａの上向きの移動は、図示のように、カバー２５の円環状リブ２８に当接することにより停止する。
【００３８】
ついで、ユーザは、蓋体３１を更に押圧する。これにより、図５（Ｂ）に示すように、飲料抽出パック１Ａおよび保持部材４９は、円環状リブ２８との当接により移動しないが、ガイド部材３７のみがスプリング４１の付勢力に抗しながら上向きに移動する。このようにガイド部材３７のみが上向きの移動すると、ガイド部材３７に固定した抽出用針４４が保持部材４９の貫通孔５１を通って、飲料抽出パック１Ａの容器２の底を突き破る。
【００３９】
その後、カバー２５の前面開口が蓋体３１によって完全に閉塞される。
【００４０】
このように、本発明の飲料抽出機では、従来のように電動式の駆動機構を適用することなく、容器タイプの飲料抽出パック１Ａを所定位置に配置し、蓋体３１を閉じるだけで、その閉じ動作に連動させて飲料抽出パック１Ａの蓋シート４および底を突き破るようにして、注入用針２１および抽出用針４４を貫通させることができる。そのため、製品自体を安価に提供することが可能になる。
【００４１】
また、このパック装着機構２４は、飲料の抽出部分であるため非常に汚れ易い部分であるが、本実施形態では、電気部品を用いていないため、部分的に水洗いすることが可能であり、清掃性も向上できる。
【００４２】
図６から図８は第２実施形態の飲料抽出機を示す。この飲料抽出機は、パック装着機構２４に図１４（Ｂ）に示す飲料抽出パック１Ｂを装着するようにした点で、第１実施形態と大きく相違している。
【００４３】
具体的には、第２実施形態のパック装着機構２４は、図６および図７に示すように、第１実施形態と同様に、カバー２５とガイド部材３７と保持部材５６とからなる。そのうち、カバー２５とガイド部材３７は第１実施形態と略同様であり、保持部材５６は第１実施形態と大きく相違している。そのため、以下の説明では、同一構成の部分は同一符号を付して詳細な説明は省略し、相違部分のみを説明する。
【００４４】
第２実施形態のカバー２５は、円環状リブ２８を設けない構成とした点でのみ相違する。
【００４５】
第２実施形態のガイド部材３７は、第１実施形態と同様にベース部３８と側壁部４５とからなる略凹字形状のものである。このガイド部材３７のベース部３８には、その中央に矩形状に開口した大きな抽出用孔５５が設けられている。また、このガイド部材３７の側壁部４５はガイド部４８を設けない構成としている。
【００４６】
第２実施形態の保持部材５６は、前記ガイド部材３７の上端に着脱可能に装着する蓋状のものである。この保持部材５６は、一対の側壁部４５の外形と一致する略八角形状の板からなり、その下面に両側には、ガイド部材３７の側壁部４５の内面に係合するリブ５７が設けられている。また、この保持部材５６には、飲料抽出パック１Ｂの上端であるノズル部７の首を挿通して位置決め保持する挿通溝５８が設けられている。
【００４７】
次に、第２実施形態の飲料抽出機の使用方法について説明する。
まず、ユーザは、図７に示すように、パック装着機構２４の蓋体３１を開いた状態とする。これにより、ガイド部材３７が連動部材３４を介して蓋体３１に連動し、その上端が前側に向けて傾斜する。この状態で、保持部材５６の挿通溝５８に飲料抽出パック１Ｂを配置し、この状態で保持部材５６をガイド部材３７の上端に装着する。
【００４８】
その後、第１実施形態と同様に、蓋体３１を背面側に押圧して閉じることにより、図８（Ａ）に示すように、連動部材３４を介してガイド部材３７を内向きに押圧し、このガイド部材３７と一緒に保持部材５６および飲料抽出パック１Ｂをカバー２５内に収容させる。
【００４９】
そして、図示のように、ガイド部材３７の軸部４７がカバー２５のガイドリブ３０ｂに当接すると、ついで、図８（Ｂ）に示すように、ガイド部材３７が上向きに移動する。その結果、飲料抽出パック１Ｂのノズル部７が注入用針２１によって突き破られ、その後、カバー２５の前面開口が蓋体３１によって完全に閉塞される。
【００５０】
このように、飲料抽出パック１Ｂを使用できるようにした第２実施形態の飲料抽出機では、第１実施形態と同様に、従来のように電動式の駆動機構を適用することなく、蓋体３１を閉じるだけで、飲料抽出パック１Ｂのセッティングが完了する。そのため、第１実施形態と同様の作用、効果を得ることができる。
【００５１】
図９から図１１は第３実施形態の飲料抽出機を示す。この飲料抽出機は、カバー５９の上下面を開口し、その上面開口に開閉可能に蓋体６３を装着した点で、第１実施形態と大きく相違している。
【００５２】
具体的には、第３実施形態のパック装着機構２４は、図１４（Ａ）に示す飲料抽出パック１Ａを着脱可能に装着するもので、図９に示すように、第１実施形態と同様に、カバー５９とガイド部材３７と保持部材４９とからなる。そのうち、カバー５９は第１実施形態と大きく相違し、ガイド部材３７と保持部材４９とは第１実施形態と略同一である。そのため、以下の説明では、同一構成の部分は同一符号を付して詳細な説明は省略し、相違部分のみを説明する。
【００５３】
第３実施形態のカバー５９は、上面および下面を開口したもので、その背部の上面開口にヒンジ接続部６０を設け、このヒンジ接続部６０に開閉可能に蓋体６３を装着したものである。このカバー５９には、第１実施形態と同様に、ブラケット部６１が設けられている。また、このカバー５９の両側壁の内面には、第１実施形態に示す溝状軸受部２９およびガイドリブ３０ａ．３０ｂの代わりに、ガイド部材３７を移動不可能な状態に固定する一対の固定穴６２が設けられている。
【００５４】
前記蓋体６３は、カバー５９のヒンジ接続部６０に交互に噛み合うようにヒンジ接続部６４を設けたものである。この蓋体６３には、注入用針２１が貫通させて固定されている。なお、本実施形態の注入用針２１は、軟質なチューブ６５によって前記揚水管２０に接続されている。また、注入用針２１には、飲料抽出パック１Ａの蓋シート４に圧接してシールするパッキン６６が配設されている。さらに、この蓋体６３には、飲料抽出パック１Ａの直径と略同一直径のスプリング６７が固定されるとともに、該スプリング６７の先端に円環状の押板６８が固定されている。
【００５５】
前記ガイド部材３７は、第１実施形態と同様に、ベース部３８と側壁部４５とからなり、その側壁部４５に、第１実施形態に示す軸部４６および軸部４７の代わりに前記固定穴６２に固定される固定軸６９を設けた点でのみ、第１実施形態と相違している。即ち、本実施形態では、この別体からなるガイド部材３７を介して前記カバー５９の底に、飲料抽出パック１Ａの底を貫通させる抽出用針４４を貫通させて固定するとともに、後述する保持部材を上向きに付勢するスプリング４１を配設している。なお、この第３実施形態では、第１実施形態に示す連動部材３４は設けられていないため、このガイド部材３７は、前記蓋体６３の開閉動作には連動しない。
【００５６】
前記保持部材４９は第１実施形態と同一構成であり、前記ガイド部材３７を介してカバー５９に対して上下方向に移動可能に装着されている。
【００５７】
なお、本実施形態では、前記蓋体６３に固定したスプリング６７の付勢力は、保持部材を上向きに付勢するスプリング４１の付勢力より強く設定している。また、カバー５９と蓋体６３には、完全に閉塞した状態で前記スプリング４１，６７の付勢力によって蓋体６３が開放することを防止するために、図示しない周知のロック機構が設けられている。
【００５８】
次に、第３実施形態の飲料抽出機の使用方法について説明する。
まず、ユーザは、図１０（Ａ）に示すように、パック装着機構２４の蓋体６３を開いた状態とする。この状態で、大きく開口したカバー５９の上端開口より、第１実施形態と同様に、フランジ部材５４を介して飲料抽出パック１Ａを保持部材４９に配置する。即ち、保持部材４９を介して飲料抽出パック１Ａをカバー５９内に装着する。
【００５９】
ついで、ユーザは、開いた状態の蓋体６３を背面側に押圧して閉じる。これにより、図１０（Ｂ）に示すように、蓋体６３に固定した押板６８が飲料抽出パック１Ａに当接する。
【００６０】
そして、ユーザは、蓋体６３を更に回動させることにより、図１１（Ａ）に示すように、スプリング６７とスプリング４１との付勢力の設定により、スプリング４１の付勢力に抗して保持部材４９がガイド部材３７に対して下向きに移動する。このように保持部材４９が下降すると、第１実施形態と同様に、ガイド部材３７に固定した抽出用針４４が保持部材４９の貫通孔５１を通って、飲料抽出パック１Ａの容器２の底を突き破る。なお、スプリング６７は、そのヒンジ接続部６０，６４に最も近い部分に押圧する力が集中するため、その側が若干付勢力に抗して収縮する。
【００６１】
そして、蓋体６３をカバー５９に完全に閉じると、蓋体６３に固定した注入用針２１が飲料抽出パック１Ａの蓋シート４を突き破る。この際、この注入用針２１は、蓋体３１に固定されているため、蓋シート４に当接した位置から引き裂くことになる。しかし、本実施形態では、前記注入用針２１にパッキン６６を配設しているため、このパッキン６６によって引き裂いた基点を含む領域を確実に密閉することができる。
【００６２】
このように、第３実施形態の飲料抽出機では、第１実施形態と同様に、電動式の駆動機構を適用することなく、蓋体６３を閉じるだけで、その閉じ動作に連動させて飲料抽出パック１Ａの蓋シート４および底を突き破るようにして、注入用針２１および抽出用針４４を貫通させることができる。そのため、製品自体を安価に提供することが可能になる。また、このパック装着機構２４は、電気部品を用いていないため、部分的に水洗いすることが可能であり、清掃性も向上できる。
【００６３】
図１２および図１３は第４実施形態の飲料抽出機を示す。この飲料抽出機は、第３実施形態と同様に、カバー５９の上端開口に開閉可能な蓋体６３を設けたもので、そのパック装着機構２４に図１４（Ｂ）に示す飲料抽出パック１Ｂを装着するようにした点で、第３実施形態と大きく相違している。
【００６４】
具体的には、第４実施形態のパック装着機構２４は、図示のように、カバー５９とガイド部材３７と保持部材５６とからなる。なお、前記カバー５９は、開閉可能に装着した蓋体６３にパッキン６６、スプリング６７および押板６８を設けない構成とした点でのみ、第３実施形態と相違している。また、前記ガイド部材３７は、第２実施形態に示す軸部４６および軸部４７の代わりに、カバー５９の固定穴６２に固定される固定軸６９を設けた点でのみ、第２実施形態と相違している。さらに、保持部材５６は、第２実施形態と同一である。そのため、同一構成の部分は同一符号を付して詳細な説明は省略する。
【００６５】
次に、第４実施形態の飲料抽出機の使用方法について説明する。
まず、ユーザは、図１３（Ａ）に示すように、パック装着機構２４の蓋体６３を開いた状態とし、この状態で、保持部材５６を介して飲料抽出パック１Ｂをガイド部材３７に配置することにより、飲料抽出パック１Ｂをカバー５９内に配置する。
【００６６】
その後、第３実施形態と同様に、蓋体６３を閉じることにより、該蓋体６３から突出した注入用針２１によって、飲料抽出パック１Ｂのノズル部７を突き破り、その後、完全に閉塞されたカバー５９と蓋体６３とをロック機構によってロックする。
【００６７】
このように、飲料抽出パック１Ｂを使用できるようにした第４実施形態の飲料抽出機では、第３実施形態と同様に、電動式の駆動機構を適用することなく、蓋体６３を閉じるだけで、飲料抽出パック１Ｂのセッティングが完了する。そのため、第３実施形態と同様の作用、効果を得ることができる。
【００６８】
なお、本発明の飲料抽出機は、前記各実施形態の構成に限定されるものではなく、種々の変更が可能である。
【００６９】
例えば、第１および第２実施形態のカバー２５は、前側面を開口してその開口に開閉可能に蓋体３１を配設したが、左右の側面を開口してその開口に蓋体３１を開閉可能に装着し、その蓋体３１にガイド部材３７を連動させるように設けてもよい。
【００７０】
また、第３および第４実施形態では、カバー５９にガイド部材３７を移動不可能に固定したが、蓋体６３から突出した押板６８または注入用針２１の当接に応じて揺動できるように構成してもよい。
【００７１】
さらに、第３および第４実施形態では、カバー５９に保持部材４９，５６を配設するためのガイド部材３７を配設したが、このガイド部材３７の構成をカバー５９に一体的に設け、保持部材４９，５６を直接カバー５９に配設する構成としてもよい。
【００７２】
【発明の効果】
以上の説明から明らかなように、本発明の飲料抽出機では、蓋体を閉じるだけで、その閉じ動作により飲料抽出パックの上端または上端と底を突き破るようにして、注入用針または注入用針と抽出用針を貫通させることができる。即ち、飲料抽出パックを抽出可能な状態にセットするために、従来のように電動式の駆動機構を適用する必要がないため、製品自体を安価に提供することが可能になる。また、このパック装着機構は、飲料の抽出部分であるため非常に汚れ易い部分であるが、本発明では、電気部品を用いていないため、部分的に水洗いすることが可能であり、清掃性も向上できる。
【図面の簡単な説明】
【図１】本発明の第１実施形態の飲料抽出機を示す断面図である。
【図２】第１実施形態のパック装着機構を示す分解斜視図である。
【図３】第１実施形態のパック装着機構を示す断面図である。
【図４】（Ａ），（Ｂ）は第１実施形態のパック装着機構の動作を示す断面図である。
【図５】（Ａ），（Ｂ）は図４の続きのパック装着機構の動作を示す断面図である。
【図６】第２実施形態のパック装着機構を示す分解斜視図である。
【図７】第２実施形態のパック装着機構を示す断面図である。
【図８】（Ａ），（Ｂ）は第２実施形態のパック装着機構の動作を示す断面図である。
【図９】第３実施形態のパック装着機構を示す分解斜視図である。
【図１０】（Ａ），（Ｂ）は第３実施形態のパック装着機構の動作を示す断面図である。
【図１１】（Ａ），（Ｂ）は図１０の続きのパック装着機構の動作を示す断面図である。
【図１２】第４実施形態のパック装着機構を示す分解斜視図である。
【図１３】（Ａ），（Ｂ）は第４実施形態のパック装着機構の動作を示す断面図である。
【図１４】（Ａ）は容器タイプの飲料抽出パックを示す断面図、（Ｂ）はシートタイプの飲料抽出パックを示す一部を破断した正面図である。
【符号の説明】
１Ａ，１Ｂ…飲料抽出パック、１０…加熱容器本体、１１…外装体、１２…蓋、１３…内容器、１４，１５…ヒータ（加熱手段）、１６…液体圧送ポンプ（給水手段）、１７…気体圧送ポンプ、２１…注入用針、２４…パック装着機構、２５，５９…カバー、３１，６３…蓋体、３４…連動部材、３７…ガイド部材、４４…抽出用針、４９，５６…保持部材、５４…フランジ部材。
【図１】
2004166769.tif 000003
【図２】
2004166769.tif 000004
【図３】
2004166769.tif 000005
【図４】
2004166769.tif 000006
【図５】
2004166769.tif 000007
【図６】
2004166769.tif 000008
【図７】
2004166769.tif 000009
【図８】
2004166769.tif 000010
【図９】
2004166769.tif 000011
【図１０】
2004166769.tif 000012
【図１１】
2004166769.tif 000013
【図１２】
2004166769.tif 000014
【図１３】
2004166769.tif 000015
【図１４】
2004166769.tif 000016